(57)【要約】      （修正有）【課題】作業中の手の甲も手の平も充分に保護でき、しかも手を動かしやすくフィット性に優れた作業用手袋を提供する。【解決手段】手の平と手の甲を覆う本体部２と、指を覆う指袋部４とからなる手袋本体１を備えており、手袋本体１は、片面側の第１面Ｓ１とその反対側の第２面のいずれもが、手の平側にも手の甲側にも使えるように仕上げられており、第１面Ｓ１および第２面のいずれか一方に保護層１０が形成されている。保護層１０は、手袋本体となる本体編成物の内面に当てたクッション性部材と、クッション性部材の裏面に当てた裏面編成物とを糸かがりして手袋本体の編成物に固定されている。保護層１０にはクッション性部材が入っているので、衝撃等の吸収性が高く、振動の伝達防止にも衝撃の緩和にも有効である。【選択図】図１
0003202983.tif 000002
【実用新案登録請求の範囲】
【請求項１】
手の平と手の甲を覆う本体部と、指を覆う指部とからなる手袋本体を備えており、
該手袋本体は、片面側の第１面とその反対側の第２面のいずれもが、手の平側にも手の甲側にも使えるように仕上げられており、
前記第１面および第２面のいずれか一方に保護層が形成されている
ことを特徴とする作業用手袋。
【請求項２】
親指袋５の付け根は手の平側にも手の甲側にも偏寄らない中立的な位置に設けられている
ことを特徴とする請求項１記載の作業用手袋。
【請求項３】
前記手袋本体は、一つながりの編成物となるように立体的に編み上げられている
ことを特徴とする請求項２記載の作業用手袋。
【請求項４】
前記保護層は、手袋本体となる本体編成物の内面に当てたクッション性部材と、該クッション性部材の裏面に当てた裏面編成物とを糸かがりして前記手袋本体の編成物に固定されている
ことを特徴とする請求項１記載の作業用手袋。
【考案の詳細な説明】
【技術分野】
【０００１】
本考案は、作業用手袋に関する。さらに詳しくは、製造現場や作業現場などの事故の発生しやすい現場での使用に適した作業用手袋に関する。
【背景技術】
【０００２】
特許文献１の従来技術は、手の甲と掌を被覆する手袋本体を備えており、掌被覆部の親指付根付近に衝撃吸収層を積層したものである。また、手袋本体の基材はウレタン繊維などの伸縮性材料が用いられている。しかるに、この従来技術では、手の甲側は何の保護もされていないので、手の甲の保護はできなかった。
【０００３】
特許文献２の従来技術は、糸を編み上げて作られた手袋であって、手首部２０と手の平部１６と手の甲部１４と指部１８を備えており、手の甲部の一部に第１の滑り止め材が塗着され、手の平部と指部の一部に第２の滑り止め材が塗着されている。
この従来技術では、手の平も手の甲も滑り止め材によって保護されるが、滑り止め材による保護は充分ではない。
【先行技術文献】
【特許文献】
【０００４】
【特許文献１】特開２０１１−１３２６１９号公報
【特許文献２】特開２０１４−５８７５６号公報
【考案の概要】
【考案が解決しようとする課題】
【０００５】
本考案は上記事情に鑑み、作業中の手の甲も手の平も充分に保護でき、しかも手を動かしやすくフィット性に優れた作業用手袋を提供することを目的とする。
【課題を解決するための手段】
【０００６】
第１考案の作業用手袋は、手の平と手の甲を覆う本体部と、指を覆う指部とからなる手袋本体を備えており、該手袋本体は、片面側の第１面とその反対側の第２面のいずれもが、手の平側にも手の甲側にも使えるように仕上げられており、前記第１面および第２面のいずれか一方に保護層が形成されていることを特徴とする。
第２考案の作業用手袋は、第１考案において、親指袋５の付け根は手の平側にも手の甲側にも偏寄らない中立的な位置に設けられていることを特徴とする。
第３考案の作業用手袋は、第２考案において、前記手袋本体は、一つながりの編成物となるように立体的に編み上げられていることを特徴とする。
第４考案の作業用手袋は、第１考案において、前記保護層は、手袋本体となる本体編成物の内面に当てたクッション性部材と、該クッション性部材の裏面に当てた裏面編成物とを糸かがりして前記手袋本体の編成物に固定されていることを特徴とする。
【考案の効果】
【０００７】
第１考案によれば、手袋本体は、片面側の第１面とその反対側の第２面のいずれもが、手の平側にも手の甲側にも使えるように仕上げられているので、保護層のある面を手の甲に向けて着用できるし、手の平に向けても着用できるので、手の甲を保護する必要のある用途と手の平を保護する必要のある用途の両方に利用できる。
第２考案によれば、保護層のある面を手の甲に向けて着用できるし、手の平に向けても着用できるので、手の甲を保護する必要のある用途と手の平を保護する必要のある用途の両方に利用できる。
第３考案によれば、手袋本体は、一つながりの編成物となるように立体的に編み上げているので、伸び縮みしてフィット性が高いので、手袋着用時の作業性も向上する。
第４考案によれば、保護層にはクッション性部材が入っているので、衝撃等の吸収性が高く、振動の伝達防止にも衝撃の緩和にも有効である。
【図面の簡単な説明】
【０００８】
【図１】本考案の一実施形態に係る作業用手袋の第１面の平面図である。
【図２】図１の作業用手袋の第２面の平面図である。
【図３】図１のIII−III線矢視断面図である。
【図４】本考案の手袋において保護部を手の甲側にした場合の使用例説明図である。
【図５】本考案の手袋において保護部を手の平側にした場合の使用例説明図である。
【考案を実施するための形態】
【０００９】
つぎに、本考案の実施形態を図面に基づき説明する。
Ａは作業用手袋であって、手袋本体１と保護層１０とからなる。手袋本体１は本体部２と手首部３と指袋部４とからなる。指袋部４は通常５本からなる親指袋５、人差指袋６、中指袋７、薬指袋８および小指袋９を備えるが、親指袋５とその他指用袋の２本ものなど、指袋の本数は任意である。また、指袋部４の長さも任意であって、指先が閉じたものの外、指袋部の長さが短く先端が開口しているものも含まれる。
【００１０】
手袋本体１は、一つながりの編成物となるように立体的に編み上げている。一つながりの編成物となる立体編みの手法には、従来より用いられている横編機を用いることで可能である。通常のニット製品には、編地を型紙に合わせて裁断・製縫する製法があるが、横編みで仕上げると手袋１個丸ごと立体的に形を作りながら編み上げることができ、かつ縦糸と横糸の組合せが伸び縮みするので、フィット性の高いニット製手袋を作ることができる。このため、本発明の手袋によれば、手袋着用時の作業性も向上する。
【００１１】
本考案では親指袋５の付け根は手の平側にも手の甲側にも偏寄らない中立的な位置に設けられる。これは、手袋本体１の片面側とその反対面のどちらを、手の甲側にしても手の平側にして着用しても自然な着用感を得られるようにするためである。
【００１２】
通常の手袋では、本体部２は手の平側と手の甲側をもつが、本考案では同じ面を手の平側にも手の甲側にも使えるので、手の平側とか手の甲側とか呼ぶ名称付けは行えない。そこで、図１に示す側を第１面Ｓ１と称し、図２に示す側を第２面Ｓ２とする。
【００１３】
本体部２の第１面Ｓ１および第２面Ｓ２のいずれか一方には保護層１０が形成される。図示の実施形態では、第１面Ｓ１に保護層１０が形成されている。
保護層１０は、本体部２の本体保護層１１と各指袋部５、６、７、８、９の指袋保護層１２、１３とからなる。
【００１４】
本体保護層１１は、本体部２の片面（第１面Ｓ１または第２面Ｓ２）のほぼ全域に形成されている。本体保護層１１の形成は全域で均等な厚さに形成してもよいが、小さい区画に仕切るキルティング状に形成してもよい。キルティング状への形成は、各区画は図示のような菱形の外、四角形や丸形、三角形、棒状など任意の形状を採用しうる。キルティング状にしておけば屈曲が容易になるので、手袋着用時の作業性が良くなる。
【００１５】
親指袋５については、指袋保護層１２が１個所形成されているが、他の指６、７、８、９については第１関節用の指袋保護層１２と第２関節用の指袋保護層１３とを有している。
【００１６】
保護層１１の形成要領を図３を参照しながら説明する。
手袋本体１は３種類の糸ｔ１、ｔ２、ｔ３を用いて編成される。代表的にはｔ１は耐切創性の高いアラミド繊維糸やＰＢＯ繊維などのいわゆる高機能繊維と称されるもの、ｔ２は化学繊維や天然繊維の糸、ｔ３はクッション性に優れたウーリーナイロン等の化学繊維や綿等の天然繊維である。
【００１７】
図示の例では、手袋本体１となる本体編成物ａは本体部２も手首部３も指袋部４もアラミド繊維に代表される耐切創性の高い糸ｔ１で編成物に編み上げられている。
保護層１１、１２、１３の内面側、すなわち手指に触れる側の裏面編成物ｂはナイロン糸に代表される柔軟性の高い糸ｔ２で編成されている。
保護層１１、１２、１３の内部にはクッション性の高いウーリーナイロンｔ３などで構成されるクッション性部材ｃが詰められ、糸ｔ１、ｔ２にかがられて本体編成物ａと裏面編成物ｂに固定されている。
【００１８】
上記のような保護層１０の形成は、株式会社島精機製作所のホールガーメント横編機（商品名）を用いるホールガーメント製法（商品名）により可能である。
保護層１１、１２、１３にはクッション性部材ｃが入っているので、衝撃等の吸収性が高く、振動の伝達防止にも衝撃の緩和にも有効である。
【００１９】
手袋本体１は、片面側の第１面Ｓ１とその反対側の第２面Ｓ２のいずれもが、手の平側にも手の甲側にも使えるように仕上げられている。このため、保護層１０のある面を手の甲に向けて着用できるし、手の平に向けても着用できるので、手の甲を保護する必要のある用途と手の平を保護する必要のある用途の両方に利用できる。
【００２０】
図４は、衝突や切創を防止する使用例である。たとえば荷物Ｂａを手で持って運ぶとき、壁ｗの角に当っても保護層１１が手の甲側にあると、手を傷つけることがなくなる。なお、この用途には、上記例示以外のあらゆる産業分野で適用できる。
【００２１】
図５は、振動を吸収する使用例であり、削岩機やチェンソー、刈払い機等の振動を発生する機械のグリップＧを握っている状態を示している。この場合、保護層１１、１２、１３を手の平側にして着用すると、保護層１１、１２、１３が振動を吸収するので作業員の疲労が低減する。なお、この用途には上記に例示した以外のあらゆる産業分野の工具、機械に適用できる。
【００２２】
以上のように、保護層１０のある面を手の甲に向けて手の甲を保護する必要のある用途と、手の平に向けて手の平を保護する必要のある用途で着用できるので、手の甲の切創防止等と、手の平への切創防止や振動負荷低減の両方に利用できる。
【符号の説明】
【００２３】
１  手袋本体
２  本体部
３  手首部
４  指袋部
５  親指袋
１０  保護層
１１  本体保護層
１２  指袋保護層
１３  指袋保護層
Ｓ１  第１面
Ｓ２  第２面
【図１】
0003202983.tif 000003
【図２】
0003202983.tif 000004
【図３】
0003202983.tif 000005
【図４】
0003202983.tif 000006
【図５】
0003202983.tif 000007